(57)【特許請求の範囲】
【請求項１】
上面板、底面板、２つの短側面板および２つの長側面板を有し、基本的な形態が直方体形状をした食品包装用のカートンにおいて、
前記上面板および前記上面板の相対向する２長辺を介して隣接する前記２つの長側面板の少なくとも一方の長側面板に対し、前記長辺上に頂角を有し、前記長辺端に位置するカートンの上面角部へ向かって鋭角的に広がった少なくとも１つの三角形状の面取り面が設けられ、
前記三角形状の面取り面は、前記長辺の長さ方向中央部に頂角を有し、
カートンの上面が前記三角形状の面取り面の上面側斜辺を輪郭辺として含む四角形ないし八角形の輪郭の平面とされていることを特徴とする、食品包装用カートン。
【請求項２】
前記面取り面は、前記上面板および前記２つの長側面板に対して形成されていることを特徴とする、請求項１に記載の食品包装用カートン。
【請求項３】
前記三角形状の面取り面は、前記一の長辺に対して２つ形成され、各面取り面は、一の長辺上の長さ方向中央部に頂角を有し、前記長辺の各端に位置するカートンの上面角部へ向かって鋭角的に広がる一対の面取り面を含むことを特徴とする、請求項２に記載の食品包装用カートン。
【請求項４】
前記カートンには、前記２つの長側面板のうちの一方の長側面板の側に開封開始部が備えられ、
当該開封開始部からの開封動作に伴って開封開口が現れるように、前記上面板の相対向する２短辺に沿って開封ラインが設けられていることを特徴とする、請求項１〜３のいずれか一項に記載の食品包装用カートン。
【請求項５】
前記開封ラインは、前記上面板に形成され、間欠的に切れ目が入れられた切断ラインを含むことを特徴とする、請求項４に記載の食品包装用カートン。
【請求項６】
前記開封ラインは、前記上面板の厚み方向外側に設けられ、開封時に前記上面板と共に開く外側封止ラインと、
前記上面板の厚み方向内側に設けられ、開封時に開封開口の縁部に残る内側封止ラインとの２層構造を含むことを特徴とする、請求項４または５に記載の食品包装用カートン。
【請求項７】
前記開封開始部は、前記一方の長側面板の外側に重ね合わされたオーバーラップ長側面板を含むことを特徴とする、請求項４〜６のいずれか一項に記載の食品包装用カートン。
【請求項８】
前記開封開始部は、前記オーバーラップ長側面板の少なくとも中央部分に備えられ、開封開始時に両側部から分離可能にされた開封用フラップを含むことを特徴とする、請求項７に記載の食品包装用カートン。
【請求項９】
前記カートンには、前記２つの短側面板のうちの一方の短側面板の上辺に一端が連設され、開封後に他端が前記底面板に固定され得る台紙が備えられていることを特徴とする、請求項１〜８のいずれか一項に記載の食品包装用カートン。
【請求項１０】
前記カートンには、前記２つの短側面板のうちの一方の短側面板の側に開封開始部が備えられ、
当該開封開始部からの開封動作に伴って開封開口が現れるように、前記上面板の相対向する２長辺に関連付けて開封ラインが形成されていることを特徴とする、請求項３に記載の食品包装用カートン。
【請求項１１】
前記開封ラインは、前記開封開始部側の前記三角形状面取り面の前記長側面板側に位置する斜辺および前記開封開始部と反対側の前記三角形状面取り面の前記上面板側に位置する斜辺に沿って形成された直線状の開封ラインを含むことを特徴とする、請求項１０に記載の食品包装用カートン。
【請求項１２】
前記開封ラインは、前記一対の三角形状面取り面の前記長側面板側に位置する斜辺に沿って形成された折れ線状の開封ラインを含むことを特徴とする、請求項１０に記載の食品包装用カートン。
【請求項１３】
前記開封ラインは、間欠的に切れ目が入れられた切断ラインを含むことを特徴とする、請求項１０〜１２のいずれか一項に記載の食品包装用カートン。
【請求項１４】
前記開封ラインは、前記上面板の厚み方向外側に設けられ、開封時に前記上面板と共に開く外側封止ラインと、
前記上面板の厚み方向内側に設けられ、開封時に開封開口の縁部に残る内側封止ラインとの２層構造を含むことを特徴とする、請求項１０〜１３のいずれか一項に記載の食品包装用カートン。
【請求項１５】
前記面取り面は、前記上面板および前記２つの長側面板に対して形成されていることを特徴とする、請求項１０〜１４のいずれか一項に記載の食品包装用カートン。
【請求項１６】
前記カートンには、前記２つの短側面板のうちの一方の短側面板の上辺に一端が連設され、開封後に他端が前記底面板に固定され得る台紙が備えられていることを特徴とする、請求項１０〜１５のいずれか一項に記載の食品包装用カートン。
【請求項１７】
請求項４〜９のいずれか一項に記載の開封開始部および開封ライン、または、請求項１０〜１５のいずれか一項に記載の開封開始部および開封ラインが、択一的に設けられていることを特徴とする、請求項１〜３のいずれか一項に記載の食品包装用カートン。
【請求項１８】
前記食品包装用カートンは、形状を展開した紙製ブランクが組み立てられることにより形成されており、
前記紙製ブランクは、請求項４〜９のいずれか一項に記載の開封開始部および開封ラインを設けるものも、請求項１０〜１５のいずれか一項に記載の開封開始部および開封ラインを設けるものも、共通の展開形状のブランクが用いられることを特徴とする、請求項１７に記載の食品包装用カートン。
【発明の詳細な説明】
【技術分野】
【０００１】
この発明は、食品包装用のカートンに関し、特に、店頭で未開封状態で陳列され、かつ、一部は収容された食品が見えるように、開封状態で陳列されるカートンに関する。
【背景技術】
【０００２】
食品包装用カートンの先行技術として、特許文献１および特許文献２に記載のものがある。
特許文献１に記載の「包装展示兼用箱」は、紙製のカートンであって、複数個の食品を収納して封がされており、工場から店舗への搬送ができるとともに、店舗においてはカートンを開封することにより、収容された食品を展示状態にして、展示用箱としても利用できるものである。
【０００３】
また、特許文献２に記載の「開封機能付包装箱」は、簡単な構造で弱い力で容易に開封することができ、開封後の開口縁部が安全で怪我を防ぐことができる包装箱を開示している。
【先行技術文献】
【特許文献】
【０００４】
【特許文献１】特開２０１１−１８４０９３号公報
【特許文献２】特開２０１０−１４９９２７号公報
【発明の概要】
【発明が解決しようとする課題】
【０００５】
上記従来技術として紹介した食品包装用カートンは、基本的には直方体の形状であり、搬送性や店舗において積み上げて陳列するための陳列性の面で優れている。
しかしながら、昨今、カートンを開封して中に収容された食品を陳列展示するのみならず、カートンを未開封状態で店頭に陳列することも行われている。そしてその際、見栄えの良い、いわゆるアイキャッチ性が向上されたカートンを望む声が、市場の要求としてある。アイキャッチ性が向上されたカートンとして、上面部分を曲面形状にしたカートンが好ましいとされており、実際に使用されている曲面カートンが存在する。
【０００６】
ところが、曲面カートンは強度が弱く、たとえば店頭で多数のカートンを積み上げて陳列展示する場合には、積み上げたカートンの重みにより上方曲面部が潰れ易い等の課題があった。
また、曲面カートンは、積み上げ難く、搬送時や保管時の取り扱いが困難であるという欠点もあった。
【０００７】
この発明は、このような背景のもとになされたもので、未開封で陳列されたときに、見栄えが良く、アイキャッチ性に優れ、しかも、積み上げ陳列や保存が良好に行える食品包装用カートンを提供することを主たる目的とする。
また、この発明は、積み上げが容易で、陳列されたカートンが目立ち易い食品包装用カートンを提供することを他の目的とする。
【０００８】
さらにこの発明は、同一の展開図の紙製ブランクによって形成される紙製カートンであって、開封方向および開封形態を変更可能な食品包装用カートンを提供することを他の目的とする。
【課題を解決するための手段】
【０００９】
請求項１記載の発明は、上面板、底面板、２つの短側面板および２つの長側面板を有し、基本的な形態が直方体形状をした食品包装用のカートンにおいて、前記上面板および前記上面板の相対向する２長辺を介して隣接する前記２つの長側面板の少なくとも一方の長側面板に対し、前記長辺上に頂角を有し、前記長辺端に位置するカートンの上面角部へ向かって鋭角的に広がった少なくとも１つの三角形状の面取り面が設けられ、前記三角形状の面取り面は、前記長辺の長さ方向中央部に頂角を有し、カートンの上面が前記三角形状の面取り面の上面側斜辺を輪郭辺として含む四角形ないし八角形の輪郭の平面とされていることを特徴とする、食品包装用カートンである。
【００１０】
請求項２記載の発明は、前記面取り面は、前記上面板および前記２つの長側面板に対して形成されていることを特徴とする、請求項１に記載の食品包装用カートンである。
請求項３記載の発明は、前記三角形状の面取り面は、前記一の長辺に対して２つ形成され、各面取り面は、一の長辺上の長さ方向中央部に頂角を有し、前記長辺の各端に位置するカートンの上面角部へ向かって鋭角的に広がる一対の面取り面を含むことを特徴とする、請求項２に記載の食品包装用カートンである。
【００１１】
請求項４記載の発明は、前記カートンには、前記２つの長側面板のうちの一方の長側面板の側に開封開始部が備えられ、当該開封開始部からの開封動作に伴って開封開口が現れるように、前記上面板の相対向する２短辺に沿って開封ラインが設けられていることを特徴とする、請求項１〜３のいずれか一項に記載の食品包装用カートンである。
【００１２】
請求項５記載の発明は、前記開封ラインは、前記上面板に形成され、間欠的に切れ目が入れられた切断ラインを含むことを特徴とする、請求項４に記載の食品包装用カートンである。
請求項６記載の発明は、前記開封ラインは、前記上面板の厚み方向外側に設けられ、開封時に前記上面板と共に開く外側封止ラインと、前記上面板の厚み方向内側に設けられ、開封時に開封開口の縁部に残る内側封止ラインとの２層構造を含むことを特徴とする、請求項４または５に記載の食品包装用カートンである。
【００１３】
請求項７記載の発明は、前記開封開始部は、前記一方の長側面板の外側に重ね合わされたオーバーラップ長側面板を含むことを特徴とする、請求項４〜６のいずれか一項に記載の食品包装用カートンである。
請求項８記載の発明は、前記開封開始部は、前記オーバーラップ長側面板の少なくとも中央部分に備えられ、開封開始時に両側部から分離可能にされた開封用フラップを含むことを特徴とする、請求項７に記載の食品包装用カートンである。
【００１４】
請求項９記載の発明は、前記カートンには、前記２つの短側面板のうちの一方の短側面板の上辺に一端が連設され、開封後に他端が前記底面板に固定され得る台紙が備えられていることを特徴とする、請求項１〜８のいずれか一項に記載の食品包装用カートンである。
請求項１０記載の発明は、前記カートンには、前記２つの短側面板のうちの一方の短側面板の側に開封開始部が備えられ、当該開封開始部からの開封動作に伴って開封開口が現れるように、前記上面板の相対向する２長辺に関連付けて開封ラインが形成されていることを特徴とする、請求項３に記載の食品包装用カートンである。
【００１５】
請求項１１記載の発明は、前記開封ラインは、前記開封開始部側の前記三角形状面取り面の前記長側面板側に位置する斜辺および前記開封開始部と反対側の前記三角形状面取り面の前記上面板側に位置する斜辺に沿って形成された直線状の開封ラインを含むことを特徴とする、請求項１０に記載の食品包装用カートンである。
請求項１２記載の発明は、前記開封ラインは、前記一対の三角形状面取り面の前記長側面板側に位置する斜辺に沿って形成された折れ線状の開封ラインを含むことを特徴とする、請求項１０に記載の食品包装用カートンである。
【００１６】
請求項１３記載の発明は、前記開封ラインは、間欠的に切れ目が入れられた切断ラインを含むことを特徴とする、請求項１０〜１２のいずれか一項に記載の食品包装用カートンである。
請求項１４記載の発明は、前記開封ラインは、前記上面板の厚み方向外側に設けられ、開封時に前記上面板と共に開く外側封止ラインと、前記上面板の厚み方向内側に設けられ、開封時に開封開口の縁部に残る内側封止ラインとの２層構造を含むことを特徴とする、請求項１０〜１３のいずれか一項に記載の食品包装用カートンである。
【００１７】
請求項１５記載の発明は、前記面取り面は、前記上面板および前記２つの長側面板に対して形成されていることを特徴とする、請求項１０〜１４のいずれか一項に記載の食品包装用カートンである。
請求項１６記載の発明は、前記カートンには、前記２つの短側面板のうちの一方の短側面板の上辺に一端が連設され、開封後に他端が前記底面板に固定され得る台紙が備えられていることを特徴とする、請求項１０〜１５のいずれか一項に記載の食品包装用カートンである。
【００１８】
請求項１７記載の発明は、請求項４〜９のいずれか一項に記載の開封開始部および開封ライン、または、請求項１０〜１５のいずれか一項に記載の開封開始部および開封ラインが、択一的に設けられていることを特徴とする、請求項１〜３のいずれか一項に記載の食品包装用カートンである。
請求項１８記載の発明は、前記食品包装用カートンは、形状を展開した紙製ブランクが組み立てられることにより形成されており、前記紙製ブランクは、請求項４〜９のいずれか一項に記載の開封開始部および開封ラインを設けるものも、請求項１０〜１５のいずれか一項に記載の開封開始部および開封ラインを設けるものも、共通の展開形状のブランクが用いられることを特徴とする、請求項１７に記載の食品包装用カートンである。
【発明の効果】
【００１９】
この発明によれば、未開封で陳列された時に、見栄えが良く、アイキャッチ性に優れた食品包装用カートンを提供することができる。
また、この発明に係る食品包装用カートンは、積み上げ陳列が可能で、多数のカートンを積み上げて陳列したり、保存したりするのに好適な食品包装用カートンを提供できる。
またこの発明によれば、開封後、収容された食品数が減った場合にも、食品を整列状態で見栄え良く収納でき、陳列ケースとして良好に使用できる食品包装用カートンを提供できる。
【００２０】
さらに、食品包装用カートンの開封開口に装飾開口処理が施されている場合、開封後に食品展示用箱として見栄えの良いカートンとすることができる。
さらに、この発明の食品包装用カートンは、共通の紙製ブランクが組み立てられて形成され、開口方向や開封開口の状態を複数の態様から択一的に選択できるので、同一の材料に基づいて複数種類の食品用カートンを作ることができ、汎用性の高い食品包装用カートンとすることができる。
【図面の簡単な説明】
【００２１】
【図１】図１は、この発明の一実施形態に係る食品包装用カートン１の外観形態を示す図で、（Ａ）はカートン１の正面図、（Ｂ）はカートン１の平面図、（Ｃ）はカートン１の右側面図、（Ｄ）はカートン１の底面図である。
【図２】図２は、紙製ブランクを折り曲げて形成した場合の食品包装用カートン１の外観形態をより正確に示した図である。
【図３】図３は、食品包装用カートン１の変形例を示す平面図である。
【図４】図４は、食品包装用カートン１の変形例を示す平面図である。
【図５】図５は、この発明の他の実施形態に係るカートン２０の斜視図である。
【図６】図６は、図５に示すカートン２０を開封した状態の斜視図である。
【図７】図７は、図５および図６に示すカートン２０を形成するための紙製ブランクの展開図である。
【図８】図８は、カートン２０を形成するための紙製ブランクの展開図であり、オプションとしての台紙２７を有する場合のブランクの展開図である。
【図９】図９は、この発明のさらに他の実施形態に係るカートン４０の斜視図である。
【図１０】図１０は、図９に示すカートン４０を開封した状態の斜視図である。
【図１１】図１１は、図９および図１０に示すカートン４０を形成するための紙製ブランクの展開図である。
【図１２】図１２は、この発明のさらに他の実施形態に係るカートン５０の斜視図である。
【図１３】図１３は、図１２に示すカートン５０を開封した状態の斜視図である。
【図１４】図１４は、カートン５０を形成するための紙製ブランクの展開図である。
【図１５】図１５は、カートン２０の変形例を説明するための、カートン２０を正面上方から見た開封状態の斜視図である。
【図１６】図１６は、カートン２０に施された装飾開口処理の構成を説明するための図解的な端面図である。
【図１７】図１７は、カートン２０の紙製ブランクにおいて、装飾開口処理を施すべき位置を説明するための図である。
【発明を実施するための形態】
【００２２】
以下には、図面を参照して、この発明の実施形態について具体的に説明をする。
図１は、この発明の一実施形態に係る食品包装用カートン１の外観形態を示す図で、（Ａ）はカートン１の正面図、（Ｂ）はカートン１の平面図、（Ｃ）はカートン１の右側面図、（Ｄ）はカートン１の底面図である。この実施形態では、カートン１の左側面図および背面図は、それぞれ、右側面図および正面図と同一に表れる。
【００２３】
図１を参照して、この実施形態に係るカートン１は、上面板２、底面板３、左短側面板４、右短側面板５、前長側面板６、および後長側面板７を有し、基本的な形態が直方体形状をした紙製のカートンである。すなわち、展開図が所定形状をした紙製ブランクが組み立てられて形成された紙製の食品包装用カートン１である。
このカートン１の外観形態上の特徴は、上面板２の周囲に、２対の三角形状の面取り面８、９、１０、１１が設けられていることである。より具体的には、上面板２ならびに上面板２の相対向する２つの長辺を介して隣接する２つの長側面板、すなわち前長側面板６および後長側面板７に対し、各長辺の長さ方向中央部に頂角を有し、長辺方向両端に位置するカートン１の上面角部へ向かって鋭角的に広がった前方側一対の三角形状の面取り面８、９および後方側一対の三角形状の面取り面１０、１１が設けられている。
【００２４】
そして、面取り面８〜１１が設けられた結果、カートン１の上面２Ｆは、六角形状の輪郭の平面を有する形態となっている。
カートン１は、上述の外観形態であるから、カートン１が店頭に陳列された際、カートン１の上面２Ｆおよび４つの面取り面８〜１１によって、店頭照明光に対する反射角度が多様化し、陳列されたカートン１が目立ち易くなる。つまり、カートン１のアイキャッチ性の向上が図れる。
【００２５】
また、カートン１は、その上面２Ｆがほぼ水平な平面であるから、カートン１は安定した積み上げが可能で、かつ、容易であり、大量陳列ができる。というのは、カートン１の上面２Ｆは、その輪郭が六角形をしているが、ほぼ水平な平面であるから、上面が凸湾曲した曲面カートンとは異なり、カートン１を積み上げた際に、上面板２で積載物の重量を支えることが可能となる。また、上面２Ｆが水平なほぼ平面であるから、カートン１を安定した状態で積み上げられる。その結果、多数個のカートン１を積み上げて陳列したり、搬送することができる。
【００２６】
なお、図１を参照して説明した食品包装用カートン１の外観形態は、説明の便宜上、かつ、発明の構成をわかりやすくするために、紙製ブランクを折り曲げて形成したものではなく、完全な外観形態を用いて表した。仮に、図１に示す食品包装用カートン１を、紙製ブランクを折り曲げて形成した場合は、厳密には面取り面８〜１１を設けることにより上面２Ｆは周辺部でやや湾曲するため、図２に示す外観形態となる。
【００２７】
図２において、図１と対応する部分は同一の番号が付されている。
この発明にかかる食品包装用カートン１は、図１または図２に示す外観形態を、図３または図４に示す平面図の形態に変更することも可能である。
すなわち、図３の（Ａ）〜（Ｆ）および図４の（Ａ）〜（Ｅ）はそれぞれ食品包装用カートン１の変形形態を表す平面図である。
【００２８】
図３（Ａ）（Ｂ）に示すように、面取り面の頂角が、上面板の長辺の中央部ではなく、どちらか一端に寄っている形態としてもよい。この場合、図示のように、上面がいびつな六角形になる。
また、図３（Ｃ）〜（Ｆ）に示すように、面取り面の頂角同士が重ならず、二つの頂角が辺で結合されている形態としてもよい。そして、この場合は、一方の長辺についてこの形態をとる場合、上面は七角形に、双方の長辺についてこの形態をとる場合、上面が八角形になる。
【００２９】
さらに、図４（Ａ）〜（Ｇ）に示すように、面取り面が４面ではなく、１〜３面しか存在しない形態でもよい。例えば、前方長辺に面取り面が１面、後方長辺に面取り面が０〜２面、といった形態でもよい。面取り面が１面の場合、上面は五角形に、面取り面が１長辺に２面の場合、上面は五角形に、面取り面が２長辺に各１面の場合、上面は六角形に、面取り面が３面の場合、上面は六角形になる（頂角同士が重なる場合）。また、前方および／または後方長辺に面取り面が１面であり、面取り面の頂角が上面板２の短辺に達する場合、上面は四角形になる。
図５は、この発明の他の実施形態に係るカートン２０の斜視図であり、図６は、図５に示すカートン２０を開封した状態の斜視図である。
【００３０】
図５および図６に示すカートン２０も、図１を参照して説明したカートン１と同様に、上面板２、底面板３、左短側面板４、右短側面板５、前長側面板６、後長側面板７、および４つの面取り面８、９、１０、１１を備えている。
カートン２０は、また、前長側面板６の外側（前側）に重ね合わされたオーバーラップ長側面板２１を備えている。オーバーラップ長側面板２１は、上面板２の前側長辺に対して面取り面８、９を介してつながっている。すなわち、面取り面８、９は、上面板２の前方長辺とオーバーラップ長側面板２１の上方長辺とに関連付けて、上面板２およびオーバーラップ長側面板２１に対して形成されている。
【００３１】
また、カートン２０には、上面板２の相対向する一対の短辺を介してつながったのりしろ（貼り合わせ）用短側面板２２、２３が備えられており、のりしろ（貼り合わせ）用短側面板２２、２３は、それぞれ、左短側面板４および右短側面板５の外表面の一部にオーバーラップするように折り曲げられ、それぞれ接着剤で貼り合わされている。
カートン２０には、前長側面板６の側、すなわち前面側に開封開始部が備えられている。より具体的には、開封開始部は、オーバーラップ長側面板２１の少なくとも下方中央に区画された開封開始片２４を含み、開封開始片２４から上方に向かって幅拡がりに形成されたオーバーラップ長側面板２１の中央部分が、開封開始時にオーバーラップ長側面板２１の両側部から分離可能にされた開封用フラップ２５とされている。
【００３２】
そして、開封用フラップ２５が両側部から分離し得るように、かつ、カートン２０の開封が達成できるように、オーバーラップ長側面板２１、面取り面８、９、上面板２および面取り面１０、１１には、左右一対の開封ライン２６が設けられている。一対の開封ライン２６は、開封開始片２４からの開封動作に伴って、カートン２０に開封開口が現れるように、オーバーラップ長側面板２１を上方へ向かって幅拡がりに延び、その後、面取り面８、９の外側寄りを延び、さらに上面板２の相対向する２短辺に沿って後長側面板７へと延び、かつ面取り面１０、１１を延びる一連の切断ラインである。
【００３３】
開封ライン２６は、間欠的に切れ目が入れられた切断ラインであることが好ましく、かかる切断ラインにより、開封開始片２４、開封用フラップ２５および上面板２の中央主要部を両側部から分離させることができ、図６に示すように開封開口を出現させることができる。
図６に示すように、この実施形態では、開封時において、正面側からカートン２０の中を視認し易いように、前長側面板６の上辺６０１は、他の側面板の上辺よりもやや低く（面取り面８、９の下端位置になるように）されている。
【００３４】
なお、このような構成に代えて、たとえばオーバーラップ長側面板２１に設けられた開封開始片２４および開封用フラップ２５が開封される際に、開封用フラップ２５と共に前長側面板６の中央部が両側部から分離されて開封用フラップ２５と共に開き、長側面板６の中央部に開封開口が現れるようにされていてもよい。すなわち、オーバーラップ長側面板２１の中央部と前長側面板６の中央部とが接着剤で貼着されており、前長側面板６にも開封ラインが形成されていて、オーバーラップ長側面板２１の開封用フラップ２５を開封する動作に伴い、前長側面板６の中央部も両側部から分離されて開封できる構成であってもよい。
【００３５】
図６を参照して、開封されるカートン２０内には、台紙２７が設けられていてもよい。台紙２７は、たとえば左短側面板４の上辺がカートン２０内へ折り曲げられたもので、左短側面板４とその上辺を介して一体的につながっていてもよい。台紙２７は、平面視矩形であってもよく、開封前の状態では、上面板２の下面に沿って、上面板２と平行に延びる状態に配置されている。従って、台紙２７の存在は、カートン２０内に食品を収納した際の妨げとはならない。
【００３６】
台紙２７は、カートン２０を開封した後、カートン２０内に収納された食品の個数が減り、食品がカートン２０内でばらついたり、整列状態が乱れたりするのを防止するために機能する。台紙２７は、上述の通り、その一端がたとえば左短側面板４の上辺に連設されており、機能させる際には、台紙２７の他端（自由端）２７１を底面板３の内面に固定する。台紙２７の他端２７１を底面板３の内面に固定することにより、台紙２７はカートン２０内で斜めの傾斜面を形成する。台紙２７が形成する傾斜面は、カートン２０内で数が減ってきた食品がばらついたり、倒れたりするのを防止し、カートン２０内に食品が整列した、販売のための見栄えが良い状態を保つ。
【００３７】
また、台紙２７は、カートン２０の組み立ての際に予め底面板３の内面に固定しておき、台紙２７を固定した後でカートン２０内に食品を収納することもできる。
なお、台紙２７は、カートン２０に必須の構成ではなく、オプションとしての構成である。従って、カートン２０は、台紙２７を有さない構成としてもよい。
図５および図６を参照して、オーバーラップ長側面板２１に設けられた開封開始片２４と開封用フラップ２５との境界線２８は折り曲げ可能とされており、この境界線２８に関連して開封開始片２４には半円弧状の係合爪２９が形成されている。一方、長側面板６の中央下方には、係合爪２９を受け入れ可能な係合スリット３０が形成されている。カートン２０を一旦開封した後、カートン２０の上面板２および開封用フラップ２５を閉じてリクローズさせた時、開封開始片２４を折り曲げ、係合爪２９を係合スリット３０に差し込むことによって、上面板２および開封用フラップ２５のリクローズ状態を保持することができる。
【００３８】
図７は、図５および図６に示すカートン２０を形成するための紙製ブランクの展開図である。図７の展開図には、図５および図６を参照して説明したカートン２０の各構成要素につき、同一番号が付されている。
なお、図７において、３１〜３８は、のりしろ（貼り合わせ）用小片である。
図７に示す紙製ブランクは、図５および図６で説明したカートン２０において、台紙２７を有さない構成の展開図となっている。
【００３９】
図８は、カートン２０を形成するための紙製ブランクの展開図であり、オプションとしての台紙２７を有する場合のブランクの展開図を示している。図８に示すように、短側面板４の上辺４０１から台紙２７が延び出た展開図とすることにより、カートン２０内に台紙２７が備えられたカートン２０を形成することができる。
図９は、この発明のさらに他の実施形態に係るカートン４０の斜視図であり、図１０は、図９に示すカートン４０を開封した状態の斜視図である。
【００４０】
図９および図１０に示すカートン４０も、図１を参照して説明したカートン１と同様に、上面板２、底面板３、左短側面板４、右短側面板５、前長側面板６、後長側面板７、および４つの面取り面８、９、１０、１１を備えている。
カートン４０は、また、前長側面板６の外側に重ね合わされたオーバーラップ長側面板２１を備えている。オーバーラップ長側面板２１は、上面板２の前側長辺に対して面取り面８、９を介してつながっている。それゆえ、面取り面８、９は、上面板２の前方長辺とオーバーラップ長側面板２１の上方長辺とに関連付けて、上面板２およびオーバーラップ長側面板２１に対して形成されている。
【００４１】
一方、面取り面１０、１１は、上面板２の後方長辺と後長側面板７の上方長辺とに関連付けて、上面板２および後長側面板７に対して形成されている。その結果、カートン４０の上面２Ｆは、その輪郭が六角形をしたほぼ水平な平面となっている。
また、カートン４０には、上面板２の相対向する一対の短辺を介してつながったのりしろ（貼り合わせ）用短側面板２２、２３が備えられており、のりしろ（貼り合わせ）用短側面板２２、２３は、それぞれ、左短側面板４および右短側面板５の外表面の一部にオーバーラップするように折り曲げられ、それぞれ接着剤で貼り合わされている。
【００４２】
このカートン４０は、右短側面板５の側、すなわち右側面に開封開始部が備えられていて、右側面から左側面に向かって開封開口が形成される構成となっている。より具体的には、開封開始は、のりしろ（貼り合わせ）用短側面板２３を含み、短側面板２３を右短側面板５から引き剥がすように持ち上げることにより、開封を開始できる。
そして、短側面板２３を上方へ持ち上げ、それによって上面板２が分離して上方へ開封し得るように、開封ライン６１、６２が設けられている。開封ライン６１は、面取り面９の下側斜辺に沿って延び、面取り面９の頂点から面取り面８の上側斜辺に沿って延びる直線状の切断ラインである。また、開封ライン６２は、開封ライン６１と対称に設けられていて、面取り面１１の下側斜辺に沿って延び、面取り面１１の頂点を経由して面取り面１０の上側斜辺に沿って延びる直線状の切断ラインである。
【００４３】
さらに、短側面板２３を右短側面板５から引き剥がすように持ち上げる際に、短側面板２３の内面側に貼り合わされた右短側面板５の上方部分５０１が短側面板２３と一緒に持ち上がり、右短側面板５に開封開口５０２が出現する。このため、右短側面板５には、その中央部を水平に延びる切断線５０３と、切断線５０３の両端から上方へ延び両側へ湾曲した切り取り用ミシン目線５０４、５０５が形成されている。
【００４４】
よって、短側面板２３を持ち上げるように右短側面板５から分離し、さらに短側面板２３を上方へ開くことによって、図１０に示すように、カートン４０の右側面の側から上面２Ｆが開いた開封開口を出現させることができる。
図１０に示すように、この実施形態では、開封時において、カートン４０の右側面側からカートン４０の中を視認することができる。特に、右短側面板５には、開口５０２が形成されるので、カートン４０の中に収容された食品を良好に視認することができる。
【００４５】
また、開封ライン６１、６２は、上述のようにカートン４０の前面側長辺と後面側長辺とに沿って対称に延びており、しかも、開封開口５０２側から見ると開口の幅が広い幅からやや狭くなるように延びている。従って、開封時に、開封開口を通してカートン４０の内部を良好に視認することができる。
図１０を参照して、開封されるカートン４０内には、台紙２７が設けられていてもよい。台紙２７は、たとえば左短側面板４の上辺がカートン４０内に折り曲げられたもので、左短側面板４とその上辺を介して一体につながっていてもよい。台紙２７は、平面視矩形であってもよく、開封前の状態では、上面板２の下面に沿って、上面板２と平行に延びる状態に配置されている。従って、台紙２７の存在は、カートン４０内に食品を収納した際の妨げとはならない。
【００４６】
台紙２７は、カートン４０を開封した後、カートン４０内に収納された食品の個数が減り、食品がカートン４０内でばらついたり、整列状態が乱れたりするのを防止するために機能する。台紙２７は、上述の通り、その一端がたとえば左短側面板４の上辺に連設されており、機能させる際には、台紙２７の他端（自由端）２７１を底面板３の内面に固定する。台紙２７の他端２７１を底面板３の内面に固定することにより、台紙２７はカートン４０内で斜めの傾斜面を形成する。台紙２７が形成する傾斜面は、カートン４０内で数が減ってきた食品がばらついたり、倒れたりするのを防止し、カートン４０内に食品が整列した、販売のための見栄えが良い状態を保つ。
【００４７】
また、台紙２７は、カートン４０の組み立ての際に予め底面板３の内面に固定しておき、台紙２７を固定した後でカートン４０内に食品を収納することもできる。なお、台紙２７は、カートン４０に必須の構成ではなく、オプションである。従って、台紙２７を備えないカートン４０とすることも可能である。
図１１は、図９および図１０に示すカートン４０を形成するための紙製ブランクの展開図である。
【００４８】
図１１において、３１〜３８は、それぞれ、のりしろ（貼り合わせ）用小片を示している。また、図１１から、開封ライン６１および６２が、対称に形成されていて、直線状に延びていることがよく理解できる。
なお、カートン４０において、台紙２７を設けない場合には、図１１における左短側面板４の上辺４０１から延びる台紙２７を除去したブランクとすればよい。
【００４９】
ところで、図１１に示す紙製ブランクの展開図と、図７および図８で説明したカートン２０のための紙製ブランクの展開図とを対比すると明らかな通り、紙製ブランクの輪郭形状（展開図）は、共通の形状となっている。換言すれば、この発明に係るカートン２０、４０は、紙製ブランクが組み立てられることにより形成されるものであるが、紙製ブランクの展開図はいずれのカートン２０、４０においても共通のものを用いることができる。そして、共通の展開図の紙製ブランクを用いながら、開封開始部および開封ラインを設ける位置を変えることにより、図５および図６に示した前側から後方に向かって開封できる紙製ブランクを作ることができるし、図９および図１０に示した右側から左側に向かって開封を行う長手方向沿いの開封が可能なカートン４０とすることもできる。図１２は、この発明のさらに他の実施形態に係るカートン５０の斜視図であり、図１３は、図１２に示すカートン５０を開封した状態の斜視図である。
【００５０】
図１２および図１３に示すカートン５０も、図１を参照して説明したカートン１と同様に、上面板２、底面板３、左短側面板４、右短側面板５、前長側面板６、後長側面板７、および４つの面取り面８、９、１０、１１を備えている。そして、カートン５０は、前述したカートン４０と同様に、右側面側から開封可能な構成となっている。
カートン５０がカートン４０と異なる点は、開封ライン６１、６２の違いである。すなわち、カートン５０において、開封ライン６１は、面取り面９の下側斜辺に沿って延び、その頂点を経由して面取り面８の下側斜辺に沿って延びる折れ線状の開封ラインとなっている。また、開封ライン６２は、面取り面１１の下側斜辺に沿って延び、その頂点を経由して面取り面１０の下側斜辺に沿って延びる折れ線状の開封ラインとなっている。この点が、前述したカートン４０と異なるだけで、その余の点は、カートン４０の構成と同様である。
【００５１】
図１４に、カートン５０を形成するための紙製ブランクの展開図を示す。図１４から、カートン５０における開封ライン６１、６２が折れ線状の開封ラインであることが理解できる。
図１５は、図５および図６を参照して説明したカートン２０の変形例を説明するための正面上方から見た開封状態の斜視図である。図１５に示すカートン２０の特徴は、開封ライン２６の内側に沿ってハーフ＆ハーフ開口処理部（装飾開口処理部）２６０が設けられていることである。装飾開口処理部２６０の具体的な構成の一例を、図１６に示す。図１６（Ａ）は、図１５において、未開封状態のときの矢印Ａ−Ａに沿う切断面端面図を示している。また、図１６（Ｂ）は、図１５のように、開封状態における矢印Ａ−ＡおよびＢ−Ｂに沿う切断面端面図を表わしている。
【００５２】
図１５および図１６を参照して説明すると、上面板２には、前後方向に延びる開封ライン２６が設けられている。開封ライン２６は、上面板２の厚み方向外側（図１６において上側）に設けられ、開封時に上面板２と共に開く外側封止ライン２６１と、上面板２の厚み方向内側（図１６において下側）に設けられ、開封時に開封開口の縁部に残る内側封止ライン２６２とを含んでいる。そして、外側封止ライン２６１と内側封止ライン２６２とで挟まれた、開封ライン２６に沿って延びる領域は、上面板２がその厚み方向に外側部分と内側部分とに分離可能な２層構造部２６３とされている。このため、開封時に上面板２の主要部を開封すると、両側部に残った上面板２の開封ライン２６の内側には、２層構造部２６３の下層上面が現れる。また、開封した上面板２の内面には、２層構造部２６３に沿って上層下面が現れる。
【００５３】
そして、２層構造部２６３の下層上面と上層下面とに、それぞれ所定の装飾模様等を施した装飾開口処理部２６０を形成しておくことにより、カートン２０を開封した際、開封開口の周囲が装飾された、開封状態の見栄えの良いカートンとすることができる。
図１７は、紙製ブランク（図７に示す紙製ブランク）において、上記装飾開口処理部２６０を施すべき領域を表わした部分展開図である。図１７において、既に説明した構成と同様の部分には同一番号が付されている。
【００５４】
なお、上記の装飾開口処理部２６０は、図９〜１１に示されるカートン４０および図１２〜１４に示されるカートン５０の開封ライン６１、６２に沿って設置することもできる。
この発明は、以上説明した具体的な各実施形態の内容に限定されるものではなく、請求項記載の範囲内において種々の変更が可能である。
【符号の説明】
【００５５】
１、２０、４０、５０    食品包装用のカートン
２    上面板
２Ｆ  上面
３    底面板
４    左短側面板
５    右短側面板
６    前長側面板
７    後長側面板
８、９、１０、１１    面取り面
２１    オーバーラップ長側面板
２２、２３    のりしろ（貼り合わせ）用短側面板
２４    開封開始片
２５    開封用フラップ
２６、６１、６２    開封ライン
２７    台紙
２８    境界線
２９    係合爪
３０    係合スリット
３１、３２、３３、３４、３５、３６、３７、３８    のりしろ（貼り合わせ）用小片
２６０    装飾開口処理部
２６１    外側封止ライン
２６２    内側封止ライン
２６３    ２層構造部
２７１    台紙の他端（自由端）
４０１    左短側面板４の上辺
５０１    右短側面板５の上方部分
５０２    開封開口
５０３    切断線
５０４，５０５    切り取り用ミシン目
６０１    前長側面板６の上辺  
【図１】
0005961901.tif 000002
【図２】
0005961901.tif 000003
【図３】
0005961901.tif 000004
【図４】
0005961901.tif 000005
【図５】
0005961901.tif 000006
【図６】
0005961901.tif 000007
【図７】
0005961901.tif 000008
【図８】
0005961901.tif 000009
【図９】
0005961901.tif 000010
【図１０】
0005961901.tif 000011
【図１１】
0005961901.tif 000012
【図１２】
0005961901.tif 000013
【図１３】
0005961901.tif 000014
【図１４】
0005961901.tif 000015
【図１５】
0005961901.tif 000016
【図１６】
0005961901.tif 000017
【図１７】
0005961901.tif 000018